(57)【要約】  本発明は、リレー異常診断システムおよび方法に関し、より具体的には、診断抵抗を用いてリレーの異常を診断するリレー異常診断システムであって、診断抵抗を電流測定部と直接連結し、診断抵抗から電流測定部に入力される電流および電流測定部により測定された電気回路上に流れる電流を用いてリレーの異常を診断できるリレー異常診断システムおよび方法に関する。
2020527700.tif 000002
【特許請求の範囲】
【請求項１】
電気回路上に位置するリレー部、
前記電気回路上に流れる電流を測定する電流測定部、
前記リレー部と前記電流測定部を連結または短絡させる診断抵抗部、および
前記診断抵抗部を制御して前記リレー部と前記電流測定部を連結し、前記診断抵抗部から前記電流測定部に入力される電流および測定された前記電気回路上に流れる電流に基づいて前記リレー部の異常を診断する制御部
を含む、リレー異常診断システム。
【請求項２】
前記診断抵抗部は、
一つ以上の診断抵抗、および
前記リレー部と前記電流測定部との間の導通状態を変更するスイッチ部
を含む、請求項１に記載のリレー異常診断システム。
【請求項３】
前記制御部は、
前記リレー部の異常を診断しようとする場合、前記スイッチ部の導通状態を制御する制御信号を出力する、請求項２に記載のリレー異常診断システム。
【請求項４】
前記電流測定部は、
前記電気回路上に位置するシャント抵抗（Ｓｈｕｎｔ  Ｒｅｓｉｓｔｏｒ）を用いて前記電気回路上に流れる電流を測定する、請求項１または２に記載のリレー異常診断システム。
【請求項５】
前記リレー部は前記電気回路上に位置するバッテリーの正極端子と負荷との間に接続され、前記シャント抵抗は前記バッテリーの負極端子と前記負荷との間に接続される、請求項４に記載のリレー異常診断システム。
【請求項６】
前記制御部は、
前記リレー部の異常を診断しようとする場合、測定された前記電気回路上に流れる電流と前記診断抵抗部から前記電流測定部に入力される電流の差値を算出し、算出された前記電流の差値に基づいて前記リレー部の異常を診断する、請求項１から５のいずれか一項に記載のリレー異常診断システム。
【請求項７】
前記電流測定部、前記診断抵抗部および前記制御部は、一つの印刷回路基板（Ｐｒｉｎｔｅｄ  Ｃｉｒｃｕｉｔ  Ｂｏａｒｄ；ＰＣＢ）上に位置し、回路パターンを通じて互いに連結される、請求項１から６のいずれか一項に記載のリレー異常診断システム。
【請求項８】
電流測定部が電気回路上に流れる電流を測定するステップ、
リレー部と前記電流測定部を連結または短絡させるステップ、および
制御部が、診断抵抗部を制御して前記リレー部と前記電流測定部を連結し、前記診断抵抗部から前記電流測定部に入力される電流および測定された前記電気回路上に流れる電流に基づいて前記リレー部の異常を診断するステップ
を含む、リレー異常診断方法。
【請求項９】
前記診断抵抗部は、
一つ以上の診断抵抗、および
前記リレー部と前記電流測定部との間の導通状態を変更するスイッチ部を含む、請求項８に記載のリレー異常診断方法。
【請求項１０】
前記診断するステップは、
前記リレー部の異常を診断しようとする場合、前記スイッチ部の導通状態を制御する制御信号を出力するステップを含む、請求項９に記載のリレー異常診断方法。
【請求項１１】
前記電流を測定するステップは、
前記電気回路上に位置するシャント抵抗（Ｓｈｕｎｔ  Ｒｅｓｉｓｔｏｒ）を用いて前記電気回路上に流れる電流を測定するステップを含む、請求項８から１０のいずれか一項に記載のリレー異常診断方法。
【請求項１２】
前記リレー部は前記電気回路上に位置するバッテリーの正極端子と負荷との間に接続され、前記シャント抵抗は前記バッテリーの負極端子と前記負荷との間に接続される、請求項１１に記載のリレー異常診断方法。
【請求項１３】
前記診断するステップは、
前記リレー部の異常を診断しようとする場合、測定された前記電気回路上に流れる電流と前記診断抵抗部から前記電流測定部に入力される電流の差値を算出し、算出された前記電流の差値に基づいて前記リレー部の異常を診断するステップを含む、請求項８から１２のいずれか一項に記載のリレー異常診断方法。
【請求項１４】
前記電流測定部、前記診断抵抗部および前記制御部は、一つの印刷回路基板（Ｐｒｉｎｔｅｄ  Ｃｉｒｃｕｉｔ  Ｂｏａｒｄ；ＰＣＢ）上に位置し、回路パターンを通じて互いに連結される、請求項８から１３のいずれか一項に記載のリレー異常診断方法。
【発明の詳細な説明】
【技術分野】
【０００１】
本出願は２０１７年１２月１４日付の韓国特許出願第１０−２０１７−０１７２２８０号に基づいた優先権の利益を主張し、該韓国特許出願の文献に開示された全ての内容は本明細書の一部として含まれる。
【０００２】
本発明は、リレー異常診断システムおよび方法に関し、より具体的には、診断抵抗を用いてリレーの異常を診断するリレー異常診断システムであって、診断抵抗を電流測定部と直接連結し、診断抵抗から電流測定部に入力される電流および電流測定部により測定された電気回路上に流れる電流を用いてリレーの異常を診断できるリレー異常診断システムおよび方法に関する。
【背景技術】
【０００３】
リレー（Ｒｅｌａｙ）とは、入力がある値に達した時に作動して他の回路を開閉するスイッチング装置である。リレーは、独立した回路と連動することができ、５Ｖのような低電圧システムからなる回路の動作により大電流の回路をオン／オフにすることができるという長所がある。また、リレー内のコイル部分と接点部分が絶縁および分離しているため、外部の機器とも電気的に絶縁できるという長所がある。このような長所により、リレーは、オン／オフスイッチングが必要な様々な分野でスイッチング素子として活用されている。
【０００４】
一般に、リレーは、電気回路上の異常電流が流れる場合、制御信号に基づいてオン／オフ動作を行うことによって、異常電流から負荷が損傷を受けるのを防止した。
【０００５】
しかし、リレーの融着（Ｗｅｌｄｉｎｇ）のような異常が発生してリレーが動作できない場合に高電流のような異常電流が電気回路上に流れる場合、異常電流を遮断することができず、負荷に大きな損傷を与えた。
【０００６】
それを改善するために、従来にはリレー異常診断システムを用いてリレーに異常が発生するか否かをモニターし診断することによって、このような問題が発生するのを事前に防止した。
【０００７】
一方、従来のリレー異常診断システムは、負荷端子（ＤＣ  Ｌｉｎｋ）とバッテリーのような電力源の負極端子との間に抵抗とスイッチを直列に連結し、リレー診断時、スイッチの導通状態をオン状態に変更した後に抵抗に流れる電流を測定する方式を用いた。
【０００８】
しかし、このような従来のリレー異常診断システムを用いる場合、リレー異常診断システムとリレー側を連結するための電線（ＤＣ  Ｌｉｎｋ  ｗｉｒｅ）、バッテリーの負極端子側と連結するための電線（ＰＡＣＫ  ｍｉｎｕｓ  ｗｉｒｅ）、ＭＯＳＦＥＴスイッチおよび複数の抵抗が必要であるということから、システムの体積が大きくなり、費用が増加するという問題がある。
【０００９】
そこで、本発明者は、診断抵抗を用いてリレーの異常を診断するリレー異常診断システムであって、診断抵抗を電流測定部と直接連結し、診断抵抗から電流測定部に入力される電流および電流測定部により測定された電気回路上に流れる電流を用いてリレーの異常を診断することによって、複数の抵抗および電線の使用を減らせるリレー異常診断システムおよび方法を開発するに至った。
【発明の概要】
【発明が解決しようとする課題】
【００１０】
本発明は、上述した問題点を解決するために導き出されたものであり、本発明の目的は、診断抵抗を用いてリレーの異常を診断するリレー異常診断システムであって、一つの印刷回路基板（Ｐｒｉｎｔｅｄ  Ｃｉｒｃｕｉｔ  Ｂｏａｒｄ；ＰＣＢ）に位置する診断抵抗部と電流測定部を回路パターンを通じて直接連結し、診断抵抗部から電流測定部に入力される電流および電流測定部により測定された電気回路上に流れる電流に基づいてリレー部の異常を診断することによって、複数の抵抗および電線の使用を減らせるリレー異常診断システムおよび方法を提供することにある。
【課題を解決するための手段】
【００１１】
本発明の一実施形態によるリレー異常診断システムは、電気回路上に位置するリレー部、前記電気回路上に流れる電流を測定する電流測定部、前記リレー部と前記電流測定部を連結または短絡させる診断抵抗部、および前記診断抵抗部を制御して前記リレー部と前記電流測定部を連結し、前記診断抵抗部から前記電流測定部に入力される電流および測定された前記電気回路上に流れる電流に基づいて前記リレー部の異常を診断する制御部を含む。
【００１２】
一つの実施形態において、前記診断抵抗部は、一つ以上の診断抵抗、および前記リレー部と前記電流測定部との間の導通状態を変更するスイッチ部を含んでもよい。
【００１３】
一つの実施形態において、前記制御部は、前記リレー部の異常を診断しようとする場合、前記スイッチ部の導通状態を制御する制御信号を出力してもよい。
【００１４】
一つの実施形態において、前記電流測定部は、前記電気回路上に位置するシャント抵抗（Ｓｈｕｎｔ  Ｒｅｓｉｓｔｏｒ）を用いて前記電気回路上に流れる電流を測定してもよい。
【００１５】
一つの実施形態において、前記リレー部は前記電気回路上に位置するバッテリーの正極端子と負荷との間に位置し、前記シャント抵抗は前記バッテリーの負極端子と前記負荷との間に位置してもよい。
【００１６】
一つの実施形態において、前記制御部は、前記リレー部の異常を診断しようとする場合、測定された前記電気回路上に流れる電流と前記診断抵抗部から前記電流測定部に入力される電流の差値を算出し、算出された前記電流の差値に基づいて前記リレー部の異常を診断してもよい。
【００１７】
一つの実施形態において、前記電流測定部、前記診断抵抗部および前記制御部は、一つの印刷回路基板（Ｐｒｉｎｔｅｄ  Ｃｉｒｃｕｉｔ  Ｂｏａｒｄ；ＰＣＢ）上に位置し、回路パターンを通じて互いに連結してもよい。
【００１８】
本発明の一実施形態によるリレー異常診断方法は、電流測定部が電気回路上に流れる電流を測定するステップ、リレー部と前記電流測定部を連結または短絡させるステップ、および制御部が、前記診断抵抗部を制御して前記リレー部と前記電流測定部を連結し、前記診断抵抗部から前記電流測定部に入力される電流および測定された前記電気回路上に流れる電流に基づいて前記リレー部の異常を診断するステップを含む。
【００１９】
一つの実施形態において、前記診断抵抗部は、一つ以上の診断抵抗、および前記リレー部と前記電流測定部との間の導通状態を変更するスイッチ部を含んでもよい。
【００２０】
一つの実施形態において、前記診断するステップは、前記リレー部の異常を診断しようとする場合、前記スイッチ部の導通状態を制御する制御信号を出力するステップを含んでもよい。
【００２１】
一つの実施形態において、前記電流を測定するステップは、前記電気回路上に位置するシャント抵抗（Ｓｈｕｎｔ  Ｒｅｓｉｓｔｏｒ）を用いて前記電気回路上に流れる電流を測定するステップを含んでもよい。
【００２２】
一つの実施形態において、前記リレー部は前記電気回路上に位置するバッテリーの正極端子と負荷との間に位置し、前記シャント抵抗は前記バッテリーの負極端子と前記負荷との間に位置してもよい。
【００２３】
一つの実施形態において、前記診断するステップは、前記リレー部の異常を診断しようとする場合、測定された前記電気回路上に流れる電流と前記診断抵抗部から前記電流測定部に入力される電流の差値を算出し、算出された前記電流の差値に基づいて前記リレー部の異常を診断するステップを含んでもよい。
【００２４】
一つの実施形態において、前記電流測定部、前記診断抵抗部および前記制御部は、一つの印刷回路基板（Ｐｒｉｎｔｅｄ  Ｃｉｒｃｕｉｔ  Ｂｏａｒｄ；ＰＣＢ）上に位置し、回路パターンを通じて互いに連結してもよい。
【発明の効果】
【００２５】
本発明は、診断抵抗部と電流測定部を直接連結し、診断抵抗部から電流測定部に入力される電流および電流測定部により測定された電気回路上に流れる電流に基づいてリレーの異常を診断することによって、リレーの故障有無を迅速に判断して過電圧または過電流によって２次事故が発生するのを防止できるという利点がある。
【００２６】
また、本発明は、一つの印刷回路基板（Ｐｒｉｎｔｅｄ  Ｃｉｒｃｕｉｔ  Ｂｏａｒｄ；ＰＣＢ）に位置する診断抵抗部と電流測定部を回路パターンを通じて直接連結することによって、電線を用いて診断抵抗部とバッテリーの負極端子を連結する必要性が無くなり、それにより、システムの体積および費用が減るという利点がある。
【００２７】
なお、本発明は、診断抵抗部に流れる電流が電流測定部に直接入力されるため、診断抵抗部に流れる電流値を調節する必要性が無くなり、それにより、診断抵抗部に用いられる抵抗数を減らせるという利点がある。
【図面の簡単な説明】
【００２８】
【図１】従来のリレー異常診断システム１を概略的に示す図である。
【００２９】
【図２】本発明の一実施形態によるリレー異常診断システム１００を概略的に示す図である。
【００３０】
【図３】本発明の一実施形態によるリレー異常診断システム１００において、バッテリー１０から出力された電流の流れを概略的に示す図である。
【００３１】
【図４】本発明の一実施形態によるリレー異常診断システム１００を用いてリレーの異常を診断する一連の過程を説明するためのフローチャートである。
【発明を実施するための形態】
【００３２】
以下では本発明の理解を助けるために好ましい実施形態を提示する。但し、下記の実施形態は本発明をより容易に理解するために提供されるものに過ぎず、本実施形態によって本発明の内容が限定されるものではない。
【００３３】
図１は、従来のリレー異常診断システム１を概略的に示す図である。
【００３４】
図１を参照すれば、従来のリレー異常診断システム１は、バッテリー１０、リレー8０、シャント抵抗３０、ＡＳＩＣ４０、診断抵抗５０、ＭＣＵ６０およびコネクタ（７０−１および７０−２）を含んで構成される。
【００３５】
ＡＳＩＣ４０は、電流測定素子であって、バッテリー１０およびリレー8０を含む電気回路上の電流を測定する。この時、電気回路上にはシャント抵抗３０が位置してもよく、ＡＳＩＣ４０はシャント抵抗３０に流れる電流を測定することによって電気回路上に流れる電流を測定する。
【００３６】
診断抵抗５０は、リレー8０の異常有無を診断するために用いられる。例えば、診断抵抗５０は、一側がリレー8０と連結され、他側がシャント抵抗３０と連結されることによって、バッテリー１０と並列連結される。
【００３７】
ＭＣＵ６０は、従来のリレー異常診断システム１に含まれた各々の構成要素を制御し、ＡＳＩＣ４０により測定される電流に基づいてリレー8０の異常を診断する。
【００３８】
上述した従来のリレー異常診断システム１を用いてリレー8０の異常を診断しようとする場合、診断抵抗５０に流れる電流を測定しなければならないため、診断抵抗５０に流れる電流を測定できる電流測定素子を別に備えなければならなかった。
【００３９】
仮に診断抵抗５０をシャント抵抗３０に連結し、シャント抵抗３０およびＡＳＩＣ４０を用いて電流を測定する場合には、診断抵抗５０に流れる電流をシャント抵抗３０に供給するために、電線を用いて負極側コネクタ７０−２と電気回路を連結しなければならないので追加のワイヤーの設置が必要であった。
【００４０】
また、シャント抵抗３０およびＡＳＩＣ４０を用いて電流を測定する場合には、シャント抵抗３０を介して流れる電流の大きさを調節する必要性があるため、診断抵抗５０は、複数の抵抗を直列および並列に連結して使用するしかない。
【００４１】
すなわち、従来のリレー異常診断システム１は、追加の電流測定素子、抵抗および電線により、システムの体積が大きくなり費用が増加するという問題があった。以下では、図２および３を参照して、従来のリレー異常診断システム１が有する問題点を解決できる、本発明の一実施形態によるリレー異常診断システム１００について説明する。
【００４２】
図２は、本発明の一実施形態によるリレー異常診断システム１００を概略的に示す図である。
【００４３】
図２を参照すれば、本発明の一実施形態によるリレー異常診断システム１００は、リレー部１１０、電流測定部１２０、シャント抵抗１３０、診断抵抗部１４０、コネクタ（１５０−１および１５０−２）および制御部１６０を含むことができる。
【００４４】
図２に示されたリレー異常診断システム１００は一実施形態によるものであって、その構成要素が図２に示された実施形態に限定されるものではなく、必要に応じて付加、変更または削除されてもよい。例えば、後述の電流測定部１２０と制御部１６０は一つのマイクロコントローラユニット（Ｍｉｃｒｏ  Ｃｏｎｔｒｏｌｌｅｒ  Ｕｎｉｔ；ＭＣＵ）であってもよく、一つのＭＣＵが電流測定機能および制御機能を同時に行ってもよい。
【００４５】
先ず、リレー部１１０は、バッテリー１０と負荷２０とを含む電気回路上に位置し、電気回路上の導通状態を制御することによって、バッテリー１０から出力される電力を負荷２０に供給または短絡させることができる。
【００４６】
ここで、図２のリレー部１１０は、入力値に応じて導通状態を制御できるリレー（Ｒｅｌａｙ）として示されているが、本発明は、これに限定されず、電気回路上に位置して導通状態を制御できるいかなる構成要素でも適用することができる。例えば、リレー部１１０は、コンタクタ（Ｃｏｎｔａｃｔｏｒ）、トランジスタ（Ｔｒａｎｓｉｓｔｏｒ）およびサイリスタ（Ｔｈｙｒｉｓｔｏｒ）であってもよい。
【００４７】
ここで、導通状態は、電気回路が切れることなく連結されて閉回路（Ｃｌｏｓｅｄ  Ｃｉｒｃｕｉｔ）を形成することによって電気回路上に電流が流れるオン（Ｏｎ）状態、および電気回路の一側面が開放または短絡されて開回路（Ｏｐｅｎ  Ｃｉｒｃｕｉｔ）を形成することによって電気回路上に電流が流れないオフ（Ｏｆｆ）状態を意味する。
【００４８】
一つの実施形態において、リレー部１１０は、電気回路上に流れる電流の大きさおよび負荷に印加される電圧の大きさに基づいて複数のリレーが連結された形態で用いられる。
【００４９】
一つの実施形態において、リレー部１１０は、電気回路上に位置するバッテリー１０の正極端子と負荷２０との間に位置することができる。
【００５０】
電流測定部１２０は、バッテリー１０と負荷２０とを含む電気回路上に流れる電流を測定することができる。例えば、バッテリー１０と負荷２０とを含む電気回路上にシャント抵抗１３０が位置することができ、電流測定部１２０はシャント抵抗１３０を用いてシャント抵抗１３０に流れる電流を測定することによって電気回路上に流れる電流を測定することができる。
【００５１】
一例として、電流測定部１２０は、演算増幅器（Ｏｐｅｒａｔｉｎｇ  Ａｍｐｌｉｆｉｅｒ）を含むことができる。演算増幅器は、シャント抵抗１３０に印加されるバッテリー１０の電圧値を既に設定されたゲイン（Ｇａｉｎ）値に比例して増幅させることができ、電流測定部１２０は、増幅された電圧値、シャント抵抗１３０の抵抗値を用いて電流を算出することによって、バッテリー１０と負荷２０とを含む電気回路上に流れる電流を測定することができる。
【００５２】
一つの実施形態において、シャント抵抗１３０は、図２に示すように、バッテリー１０と負荷を連結するためのバスバー（Ｂｕｓｂａｒ）上に設けられることができ、バッテリー１０の負極端子と負荷２０との間に位置することができる。
【００５３】
診断抵抗部１４０は、リレー部１１０の異常を診断するために用いられることができ、リレー部１１０と電流測定部１２０を連結または短絡させることができる。このために、診断抵抗部１４０は、一つ以上の診断抵抗１４０ａおよびスイッチ部１４０ｂを含むことができる。
【００５４】
一つ以上の診断抵抗１４０ａは、一側が正極コネクタ１５０−１を介してリレー部１１０と連結され、他側が後述のスイッチ部１４０ａと連結されることができる。
【００５５】
また、一つ以上の診断抵抗１４０ａは、バッテリー１０と並列連結されることができ、バッテリー１０から電圧の印加を受けて一定大きさの電流を出力するために所定の抵抗値を有することができる。例えば、診断抵抗１４０ａは、一つ以上の抵抗が直列にまたは並列に連結された形態であってもよい。
【００５６】
スイッチ部１４０ａは、リレー部１１０と電流測定部１２０との間の導通状態を変更することができる。例えば、スイッチ部１４０ａは、図２に示すように、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  ｔｒａｎｓｉｓｔｏｒ； ）であってもよく、後述の制御部１６０から出力される制御信号がゲート（Ｇａｔｅ）端子に入力される場合、オン状態になってリレー部１１０と電流測定部１２０を連結することができる。
【００５７】
スイッチ部１４０ｂは、一側が一つ以上の診断抵抗１４０ａと連結され、他側が負極コネクタ１５０−２を介してシャント抵抗１３０に連結されることではなく、電流測定部１２０に直接連結されることができる。
【００５８】
一つの実施形態において、電流測定部１２０、診断抵抗部１４０および後述の制御部１６０は、一つの印刷回路基板（Ｐｒｉｎｔｅｄ  Ｃｉｒｃｕｉｔ  Ｂｏａｒｄ；ＰＣＢ）上に位置することができ、回路パターンを通じて互いに連結されることができる。例えば、スイッチ部１４０ｂは、ＰＣＢ上で回路パターンを通じて電流測定部１２０と連結されることができる。したがって、本発明の一実施形態によるリレー異常診断システム１００は、電線（Ｗｉｒｅ）を介して診断抵抗部１４０とシャント抵抗１３０を連結せず、単に回路パターンを通じて電流測定部と診断抵抗部１４０を連結するため、電線を用いる必要性がなくなり、それにより、システムの体積と製作費用を減少できるという利点がある。
【００５９】
制御部１６０は、診断抵抗部１４０を制御して、リレー部１１０と電流測定部１２０を連結することができる。例えば、リレー部１１０の異常を診断しようとする場合、制御部１６０は、スイッチ部１４０ｂの導通状態を制御する制御信号を出力することができ、スイッチ部１４０ｂは、制御信号に応じて導通状態をオン状態に変更することによってリレー部１１０と電流測定部１２０を連結することができる。
【００６０】
一つの実施形態において、制御部１６０は、診断抵抗部１４０から電流測定部１２０に入力される電流および電流測定部１２０により測定された電気回路上に流れる電流に基づいてリレー部１１０の異常を診断することができる。
【００６１】
制御部１６０は、リレー部１１０の異常を診断しようとする場合、電流測定部１２０により測定された電気回路上に流れる電流と診断抵抗部１４０から電流測定部１２０に入力される電流の差値を算出し、算出された電流の差値に基づいてリレー部１１０の異常を診断することができる。以下では、図３を参照してより具体的に説明する。
【００６２】
図３は、本発明の一実施形態によるリレー異常診断システム１００において、バッテリー１０から出力された電流の流れを概略的に示す図である。
【００６３】
図３を参照すれば、バッテリー１０から出力される電流Ｉ１は、リレー部１１０を経て、負荷２０側に流れる電流Ｉ２と正極コネクタ１５０−１側に流れる電流Ｉ３に分けられる。この時、バッテリー１０から出力される電流Ｉ１は、負荷２０の抵抗値と診断抵抗１４０ａの抵抗値に反比例するように分けられる。その後、負荷２０側に流れる電流Ｉ２は、シャント抵抗１３０を経て、バッテリー１０の負極端子側に流れる電流Ｉ４とシャント抵抗１３０に流れる電流Ｉ５に分けられ、電流測定部１２０は、シャント抵抗１３０に流れる電流Ｉ５を測定する。この時、電流測定部１２０は、診断抵抗部１４０から正極コネクタ１５０−１側に流れる電流Ｉ３の入力を受けるため、実際に電流測定部１２０は、正極コネクタ１５０−１側に流れる電流Ｉ３とシャント抵抗１３０に流れる電流Ｉ５が合算された電流値を測定するようになる。
【００６４】
制御部１６０は、電流測定部１２０により測定された電流（Ｉ３＋Ｉ５）から電気回路上に流れる電流Ｉ３との差値Ｉ５を算出し、算出された電流の差値Ｉ５に基づいてリレー部１１０の異常を診断することができる。
【００６５】
一つの実施形態において、本発明の一実施形態によるリレー異常診断システム１００は、診断抵抗１４０ａの抵抗値、リレー部１１０の種類、リレー部１１０に発生した故障の種類、バッテリー１０の電圧値および電流値のいずれか一つ以上の条件下で実験的に診断抵抗１４０ａに流れる電流値を測定することができ、測定された電流値をデータテーブル化して格納する格納部（図示せず）を含むことができる。
【００６６】
一つの実施形態において、制御部１６０は、電気回路上に流れる電流と診断抵抗部１４０から電流測定部１２０に入力される電流の差値を算出し、算出された電流と格納部に格納された電流の値を比較してリレー部１１０の異常を診断することができる。
【００６７】
他の一つの実施形態において、格納部（図示せず）は、電流測定部１２０により測定される電流値を格納することができ、制御部１６０は、格納された電流値の傾向性およびパターンを分析して異常兆候を検出し、異常兆候が検出される場合、リレー部１１０に異常が発生したと診断することができる。以下では、図４を参照して、本発明の一実施形態によるリレー部異常診断システム１００を用いたリレー部異常診断方法について説明する。
【００６８】
図４は、本発明の一実施形態によるリレー異常診断システム１００を用いてリレーの異常を診断する一連の過程を説明するためのフローチャートである。
【００６９】
図４を参照すれば、先ず、リレー部の異常診断に対する要請を受信する（Ｓ１１０）。
【００７０】
ここで、リレー部の異常診断に対する要請は、リレー部の異常を診断するために外部から入力する信号であってもよい。しかし、これに限定されず、リレー異常診断システムは、別の異常診断要請信号および指示が入力されなくても既に設定された時間ごとにリレー部異常診断動作を繰り返し実行することができる。
【００７１】
Ｓ１１０ステップにおいて、リレー部の異常診断に対する要請を受信する場合、制御部は、診断抵抗部を制御してリレー部と電流測定部を連結し（Ｓ１２０）、電流測定部は、シャント抵抗を用いて電流を測定する（Ｓ１３０）。
【００７２】
その後、制御部は、Ｓ１２０およびＳ１３０ステップで測定された電流に基づいて電気回路上に流れる電流と診断抵抗部から電流測定部に入力される電流の差値を算出し（Ｓ１４０）、算出された電流の差値に基づいてリレー部の異常を診断する（Ｓ１５０）。
【００７３】
Ｓ１５０ステップにおいて、リレー部の異常が診断されない場合、Ｓ１１０ステップに戻り、Ｓ１１０ステップ〜Ｓ１５０ステップを繰り返し実行することができる。
【００７４】
前述したリレー異常診断方法は、図面に提示されたフローチャートを参照して説明された。簡単に説明するために、前記方法は一連のブロックで図示し説明されたが、本発明は前記ブロックの順に限定されず、幾つかのブロックは他のブロックと本明細書で図示し記述されたものとは互いに異なる順にまたは同時になされてもよく、同一または類似した結果を達成する様々な他の分枝、流れ経路およびブロックの順が実現されてもよい。また、本明細書にて記述される方法の実現のために示された全てのブロックが要求されなくてもよい。
【００７５】
以上では本発明の好ましい実施形態を参照して説明したが、該技術分野の熟練した当業者であれば、下記の特許請求の範囲に記載された本発明の思想および領域から逸脱しない範囲内で本発明を多様に修正および変更できることを理解することができるであろう。
【図１】
2020527700.tif 000003
【図２】
2020527700.tif 000004
【図３】
2020527700.tif 000005
【図４】
2020527700.tif 000006
【国際調査報告】
2020527700.tif 000007
2020527700.tif 000008
2020527700.tif 000009
2020527700.tif 000010